(57)【要約】【課題】無線通信の設定をより容易にし、既に無線通信を行っている構成情報を用いることによって、信頼性の高い無線通信ができるようにした通信装置を提供する。【解決手段】無線通信基地局装置と無線通信可能である通信装置であって、記憶手段は、無線通信を行うための構成情報を記憶し、情報画像生成手段は、前記記憶手段に記憶されている構成情報を表す情報画像を生成し、出力制御手段は、前記情報画像生成手段によって生成された情報画像の出力を制御する。【選択図】図１
2010098498.tif 000002
【特許請求の範囲】
【請求項１】
無線通信基地局装置と無線通信可能である第１の通信装置と、前記無線通信基地局装置と無線通信をする第２の通信装置を有する通信システムであって、
前記第１の通信装置は、
無線通信を行うための構成情報を記憶する記憶手段と、
前記記憶手段に記憶されている構成情報を表す情報画像を生成する情報画像生成手段と、
前記情報画像生成手段によって生成された情報画像の出力を制御する出力制御手段
を具備し、
前記第２の通信装置は、
前記第１の通信装置によって出力された情報画像の読み取りを制御する画像読取制御手段と、
前記画像読取制御手段の制御によって読み取られた情報画像を復号する復号手段と、
前記復号手段によって復号された情報に基づいて、前記無線通信基地局装置と無線通信を行う通信手段
を具備することを特徴とする通信システム。
【請求項２】
無線通信基地局装置と無線通信可能である通信装置であって、
無線通信を行うための構成情報を記憶する記憶手段と、
前記記憶手段に記憶されている構成情報を表す情報画像を生成する情報画像生成手段と、
前記情報画像生成手段によって生成された情報画像の出力を制御する出力制御手段
を具備することを特徴とする通信装置。
【請求項３】
前記情報画像生成手段は、２次元コードに符号化することにより情報画像を生成する
ことを特徴とする請求項２に記載の通信装置。
【請求項４】
前記情報画像生成手段は、現在無線通信を行っている前記無線通信基地局装置との無線通信における構成情報を表す情報画像を生成する
ことを特徴とする請求項２又は３に記載の通信装置。
【請求項５】
無線通信基地局装置と無線通信可能である通信装置が行う情報処理方法であって、
記憶手段は、無線通信を行うための構成情報を記憶し、
情報画像生成手段は、前記記憶手段に記憶されている構成情報を表す情報画像を生成し、
出力制御手段は、前記情報画像生成手段によって生成された情報画像の出力を制御する
ことを特徴とする情報処理方法。
【請求項６】
無線通信基地局装置と無線通信可能である通信装置によって動作する情報処理プログラムであって、
前記通信装置を、
無線通信を行うための構成情報を記憶する記憶手段と、
前記記憶手段に記憶されている構成情報を表す情報画像を生成する情報画像生成手段と、
前記情報画像生成手段によって生成された情報画像の出力を制御する出力制御手段
として機能させることを特徴とする情報処理プログラム。
【発明の詳細な説明】
【技術分野】
【０００１】
本発明は、無線通信基地局装置と無線通信可能である第１の通信装置と、前記無線通信基地局装置と無線通信をする第２の通信装置を有する通信システム、通信装置、情報処理方法及び情報処理プログラムに関する。
【背景技術】
【０００２】
無線通信を用いるネットワークである、いわゆる無線ＬＡＮ（Ｌｏｃａｌ  Ａｒｅａ  Ｎｅｔｗｏｒｋ）の規格として、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ，  Ｉｎｃ．）８０２．１１規格に準拠したものが一般的に利用されている。
【０００３】
無線ＬＡＮの通信を行うためには、アクセスポイント（Ａｃｃｅｓｓ  Ｐｏｉｎｔ、無線ＬＡＮの中継局）とそのアクセスポイントを中継局とする無線ＬＡＮセグメント（ＬＡＮの構成単位）に接続されるステーションにおいて、ＳＳＩＤ（Ｓｅｒｖｉｃｅ  Ｓｅｔ  ＩＤ）や暗号化情報などの構成情報の設定を一致させる必要がある。
【０００４】
ここで、ＳＳＩＤとは、無線ＬＡＮで特定のネットワークを指定するための識別子である。アクセスポイントとそのアクセスポイントを中継局とする無線ＬＡＮセグメントに接続されるステーションにおいて、ＳＳＩＤとしての共通の符号列が指定される。
また、暗号化情報の例としてＷＥＰ（Ｗｉｒｅｄ  Ｅｑｕｉｖａｌｅｎｔ  Ｐｒｉｖａｃｙ）等があるが、ＷＥＰとは、アクセスポイントとステーションとの双方に同じキー（暗号鍵）を設定する、いわゆる共通鍵暗号方式による暗号化方式により、通信するデータを暗号化する機能をいう。ＷＥＰのキー（以下、ＷＥＰキーと称する）を設定することで、通信中のデータ（パケット）が暗号化できるだけでなく、ＷＥＰキーが正しく設定されていないステーションはアクセスポイントに接続できないためアクセス制限に使用することも可能となる。
【０００５】
すなわち、無線ＬＡＮにおいては、無線ＬＡＮに接続させたいステーションに対して、アクセスポイントと同様のＳＳＩＤ及びＷＥＰキーを設定することで、アクセスポイントを介した他のステーションとの通信を行うことができるようになる。
【０００６】
これに関連する技術として、例えば、特許文献１には、携帯電話、ＰＤＡあるいはＰＨＳ等の携帯端末への無線ＬＡＮ設定や各種のアプリケーション設定を簡単に行える無線ＬＡＮ対応の宅内通信機器を提供することを課題とし、無線ＬＡＮアクセスポイントは、無線ＬＡＮインタフェースを備えた無線携帯端末との間で無線ＬＡＮ接続を確立する無線ＬＡＮインタフェースと、ルータやモデムとの間で有線ＬＡＮを確立する有線ＬＡＮインタフェースと、無線ＬＡＮインタフェース及び有線ＬＡＮインタフェース間でＩＰパケットを中継するパケット中継部と、無線ＬＡＮ設定が登録された無線ＬＡＮ設定登録部とを含み、宅内通信機器の筐体には、携帯電話に無線ＬＡＮ設定を自動で行うための構成情報を２次元のコードとして記録したＱＲコードが、携帯電話に設けられたＱＲコードリーダーによる読み取り可能な形態で装着されていることが開示されている。
【０００７】
また、例えば、特許文献２には、無線ＬＡＮ設定や各種のアプリケーション設定を簡単に行える無線ＬＡＮ対応の携帯電話を提供することを課題とし、携帯電話は、携帯電話用の通信部及びそのインタフェースと、無線ＬＡＮ用の通信部及びそのインタフェースとを併設し、さらに宅内通信機器の筐体に装着されたＱＲコードを光学的に読み取るＱＲコードリーダーとしてのデジタルカメラを備えており、主制御部のＱＲコード復号化部は、デジタルカメラで撮影されたＱＲコードを復号化して無線ＬＡＮ設定やＶｏＩＰ設定のための構成情報を再生し、設定実行部は、前記構成情報に基づいて無線ＬＡＮ設定やＶｏＩＰ設定を行い、前記無線ＬＡＮ設定及びＶｏＩＰ設定は記憶部の所定領域に不揮発に記憶されることが開示されている。
【０００８】
また、例えば、特許文献３、４には、特別な設定操作を必要とすることなく、無線接続のための設定を自動的に実行することを課題とし、パーソナルコンピュータは、内蔵する無線通信部のＩＥＥＥ８０２．１１ｂによる無線通信機能によってアクセスポイント装置と無線接続し、アクセスポイント装置を介して、インタネットに代表されるネットワークに接続されているサーバなどとデータを通信するが、パーソナルコンピュータに対しては、アクセスポイント装置と無線接続する前に、ＩＥＥＥ８０２．１１ｂで規定されているＳＳＩＤやＷＥＰ  ＫＥＹを設定する必要があり、その設定は、パーソナルコンピュータを構成するＩＣカード非接触通信部に、ＩＣカードを所定の至近距離まで近づける（又は瞬間的に接触させる）だけで実行され、パーソナルコンピュータ、ＰＤＡ、及びアクセスポイントなどからなる無線ＬＡＮを構成するシステムに適用できることが開示されている。
【０００９】
また、例えば、特許文献５には、簡単に無線ＬＡＮの設定ができるようにすることを課題とし、設定情報生成部は、無線ＬＡＮに接続するために各機器に設定される情報であるＳＳＩＤやＷＥＰキーを生成し、符号化部は、生成したＳＳＩＤやＷＥＰキーをＱＲコードに変換し、表示制御部は、変換されたＱＲコードを表示部に表示させ、通信装置は、表示部に表示されたＱＲコードを撮像して、復号し、通信装置は、復号した結果得られたＱＲコードからＳＳＩＤとＷＥＰキーを取得して、設定することで、簡単に無線ＬＡＮの設定ができるようになることが開示されている。
【特許文献１】特開２００６−１５７８１４号公報
【特許文献２】特開２００６−１５７８１５号公報
【特許文献３】特開２００３−２２９８７２号公報
【特許文献４】特開２００６−０７４８０２号公報
【特許文献５】特開２００６−２６１９３８号公報
【発明の開示】
【発明が解決しようとする課題】
【００１０】
しかしながら、このような従来の技術では、無線通信の設定を行うことは困難であり、アクセスポイントの設定等の環境によっては無線通信を行うことができない事態が生じるという問題点があった。
本発明は、このような従来の技術が有する問題点に着目してなされたもので、無線通信の設定をより容易にし、既に無線通信を行っている構成情報を用いることによって、信頼性の高い無線通信ができるようにした通信システム、通信装置、情報処理方法及び情報処理プログラムを提供することを目的としている。
また、本発明は、ユーザの利便性向上を図ることも課題の一つとする。従来の技術で、アクセスポイント内の情報からＱＲコード等の情報画像を生成する場合、アクセスポイントの管理者がその情報画像を公開することになる。一方、本発明の場合は、クライアント間のコピーのため、ユーザのみの意思により、情報画像を生成することができる。そのため、前者に比べて、本発明は、ユーザにとっての利便性向上が図れる。
【課題を解決するための手段】
【００１１】
かかる目的を達成するための本発明の要旨とするところは、次の各項の発明に存する。
［１］  無線通信基地局装置と無線通信可能である第１の通信装置と、前記無線通信基地局装置と無線通信をする第２の通信装置を有する通信システムであって、前記第１の通信装置は、無線通信を行うための構成情報を記憶する記憶手段と、前記記憶手段に記憶されている構成情報を表す情報画像を生成する情報画像生成手段と、前記情報画像生成手段によって生成された情報画像の出力を制御する出力制御手段を具備し、前記第２の通信装置は、前記第１の通信装置によって出力された情報画像の読み取りを制御する画像読取制御手段と、前記画像読取制御手段の制御によって読み取られた情報画像を復号する復号手段と、前記復号手段によって復号された情報に基づいて、前記無線通信基地局装置と無線通信を行う通信手段を具備することを特徴とする通信システム。
【００１２】
［２］  無線通信基地局装置と無線通信可能である通信装置であって、無線通信を行うための構成情報を記憶する記憶手段と、前記記憶手段に記憶されている構成情報を表す情報画像を生成する情報画像生成手段と、前記情報画像生成手段によって生成された情報画像の出力を制御する出力制御手段を具備することを特徴とする通信装置。
【００１３】
［３］  前記情報画像生成手段は、２次元コードに符号化することにより情報画像を生成することを特徴とする［２］に記載の通信装置。
【００１４】
［４］  前記情報画像生成手段は、現在無線通信を行っている前記無線通信基地局装置との無線通信における構成情報を表す情報画像を生成することを特徴とする［２］又は［３］に記載の通信装置。
【００１５】
［５］  無線通信基地局装置と無線通信可能である通信装置が行う情報処理方法であって、記憶手段は、無線通信を行うための構成情報を記憶し、情報画像生成手段は、前記記憶手段に記憶されている構成情報を表す情報画像を生成し、出力制御手段は、前記情報画像生成手段によって生成された情報画像の出力を制御することを特徴とする情報処理方法。
【００１６】
［６］  無線通信基地局装置と無線通信可能である通信装置によって動作する情報処理プログラムであって、前記通信装置を、無線通信を行うための構成情報を記憶する記憶手段と、前記記憶手段に記憶されている構成情報を表す情報画像を生成する情報画像生成手段と、前記情報画像生成手段によって生成された情報画像の出力を制御する出力制御手段として機能させることを特徴とする情報処理プログラム。
【００１７】
前記本発明は次のように作用する。
第１の通信装置では、記憶手段は、無線通信を行うための構成情報を記憶し、情報画像生成手段は、前記記憶手段に記憶されている構成情報を表す情報画像を生成し、出力制御手段は、前記情報画像生成手段によって生成された情報画像の出力を制御する。そして、第２の通信装置では、画像読取制御手段は、前記第１の通信装置によって出力された情報画像の読み取りを制御し、復号手段は、前記画像読取制御手段の制御によって読み取られた情報画像を復号し、通信手段は、前記復号手段によって復号された情報に基づいて、前記無線通信基地局装置と無線通信を行う。これによって、無線通信の設定をより容易にし、既に無線通信を行っている構成情報を用いることによって、信頼性の高い無線通信ができる。
【発明の効果】
【００１８】
本発明にかかる通信システム、通信装置、情報処理方法及び情報処理プログラムによれば、無線通信の設定をより容易にし、既に無線通信を行っている構成情報を用いることによって、信頼性の高い無線通信ができる。そして、これから無線通信を行おうとする者、既に無線通信を行っており構成情報を伝える者にとって、操作性、利便性がより一層向上する。
【発明を実施するための最良の形態】
【００１９】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア、ハードウェア等の部品を指す。したがって、本実施の形態におけるモジュールはプログラムにおけるモジュールのことだけでなく、ハードウェア構成におけるモジュールも指す。それゆえ、本実施の形態は、プログラム、システム及び方法の説明をも兼ねている。ただし、説明の都合上、「記憶する」、「記憶させる」、これらと同等の文言を用いるが、これらの文言は、実施の形態がプログラムの場合は、記憶装置に記憶させるように制御するの意である。また、モジュールは機能にほぼ一対一に対応しているが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）を含む。
また、システム又は装置とは、複数のコンピュータ、ハードウェア、装置等がネットワーク等で接続されて構成されるほか、１つのコンピュータ、ハードウェア、装置等によって実現される場合も含まれる。
なお、情報画像として、機械可読な態様で電子データを表すために体系的に作られた画像コードをいい、具体的には、１次元バーコード、２次元コード等がある。特に、最近は、２次元コードとして、ＱＲコード（Ｑｕｉｃｋ  Ｒｅｓｐｏｎｓｅ  ｃｏｄｅ）が用いられており、本実施の形態においてもこのＱＲコードを例示する。
【００２０】
本実施の形態は、無線通信を行うものであって、図１に示すように、無線通信基地局装置１１０、通信装置Ａ１２０、通信装置Ｂ１４０を備えている。
無線通信基地局装置１１０は、無線ＬＡＮの通信におけるアクセスポイントとしての機能を有している。
通信装置Ａ１２０は、無線通信機能を有しており、無線通信基地局装置１１０と無線通信可能なものである。例えば、既に無線通信基地局装置１１０と無線通信をしたことがあるもの、現在無線通信を行っている場合も含む。さらに、過去に無線通信をしたことはないが、構成情報を保持している（つまり、無線ＬＡＮのセットアップはしているものの、実際に接続したことはない）という状態も含む。
通信装置Ｂ１４０は、将来的に無線通信基地局装置１１０と無線通信を行うものである。通信装置Ｂ１４０は、無線通信基地局装置１１０と無線通信を行ったことがないのが一般的であるが、無線通信基地局装置１１０と過去に無線通信を行ったことはあるが、改めて無線通信を行うような場合であってもよい。
【００２１】
無線通信基地局装置１１０は、通信装置Ａ１２０の通信モジュール１２１及び通信装置Ｂ１４０の通信モジュール１４１と無線通信可能に接続されており、通信装置Ａ１２０の通信モジュール１２１とは過去に接続されていたことがある（現在接続されている場合も含む）。
【００２２】
通信装置Ａ１２０は、通信モジュール１２１、構成情報記憶モジュール１２３、画像コード符号化モジュール１２５、出力制御モジュール１２７、出力装置１２８を有している。
【００２３】
通信モジュール１２１は、無線通信基地局装置１１０と無線通信を行い、その無線通信における構成情報を構成情報記憶モジュール１２３に記憶させる。
構成情報記憶モジュール１２３は、通信モジュール１２１、画像コード符号化モジュール１２５よりアクセスされ、構成情報を記憶する。
【００２４】
ここで、構成情報とは、通信装置Ａ１２０が無線通信基地局装置１１０と無線通信接続を行うための必要な設定情報であり、無線ＬＡＮプロファイルと呼ばれているものであり、例えば、図５に示すような構成情報テーブル５００を有している。図５は、構成情報テーブル５００のデータ構造例を示す説明図である。構成情報テーブル５００は、基地局名欄５１０、暗号方式欄５２０、暗号鍵欄５３０、ＩＤ情報欄５４０、パスワード欄５５０を有している。
基地局名欄５１０は、無線通信基地局装置１１０の名称を記憶する。名称としては無線通信基地局装置１１０を一意に特定できるものであってもよい。例えば、ＢＳＳＩＤ（Ｂａｓｉｃ  Ｓｅｒｖｉｃｅ  Ｓｅｔ  ＩＤ）、または無線基地局装置の集合体が識別可能なＥＳＳＩＤ（Ｅｘｔｅｎｄｅｄ  Ｓｅｒｖｉｃｅ  Ｓｅｔ  ＩＤ）等がある。
暗号方式欄５２０は、無線通信基地局装置１１０と無線通信を行うにあたっての通信内容にかける暗号方式を記憶する。
暗号鍵欄５３０は、その暗号方式における暗号鍵を記憶する。例えば、ＷＥＰキー等がある。
ＩＤ情報欄５４０は、無線通信基地局装置１１０との無線通信が可能なユーザーとして登録されているＩＤ（ＩＤｅｎｔｉｆｉｃａｔｉｏｎ）情報を記憶する。
パスワード欄５５０は、そのユーザーがログインする際に必要なパスワードを記憶する。
【００２５】
画像コード符号化モジュール１２５は、構成情報記憶モジュール１２３、出力制御モジュール１２７と接続されており、構成情報記憶モジュール１２３に記憶されている構成情報を表す画像コードを生成する。生成した画像コードを出力制御モジュール１２７に渡す。画像コードの生成として、例えば、２次元コードへの符号化がある。
出力制御モジュール１２７は、画像コード符号化モジュール１２５、出力装置１２８と接続されており、出力装置１２８を制御して、画像コード符号化モジュール１２５によって生成された画像コードを出力させる。
出力装置１２８は、出力制御モジュール１２７と接続されており、出力制御モジュール１２７による制御に基づいて、画像コード１３０を出力する。具体的には、ＣＲＴ（Ｃａｔｈｏｄｅ‐Ｒａｙ  Ｔｕｂｅ）、液晶ディスプレイ等の出力装置、プリンタ等の印刷装置であってもよい。出力される画像コード１３０として、図３の例に示すようなＱＲコード３００がある。
【００２６】
通信装置Ｂ１４０は、通信モジュール１４１、読取制御モジュール１４２、画像コード復号モジュール１４３、構成情報記憶モジュール１４８、画像読取装置１４９を有している。
【００２７】
画像読取装置１４９は、読取制御モジュール１４２と接続されており、読取制御モジュール１４２による制御に基づいて、通信装置Ａ１２０の出力装置１２８によって出力された画像コード１３０を画像データとして読み込む。具体的には、カメラ、スキャナー等である。
読取制御モジュール１４２は、画像コード復号モジュール１４３、画像読取装置１４９と接続されており、画像読取装置１４９を制御して、画像コード１３０を読み取らせる。そして、読み取った画像コード１３０の画像データを画像コード復号モジュール１４３に渡す。
【００２８】
画像コード復号モジュール１４３は、読取制御モジュール１４２、構成情報記憶モジュール１４８と接続されており、読取制御モジュール１４２の制御によって読み取られた画像コード１３０の画像データを復号する。つまり、画像コード１３０に表された構成情報を抽出して、その構成情報を構成情報記憶モジュール１４８に記憶させる。
構成情報記憶モジュール１４８は、通信モジュール１４１、画像コード復号モジュール１４３よりアクセスされ、画像コード復号モジュール１４３によって復号された構成情報を記憶する。
通信モジュール１４１は、構成情報記憶モジュール１４８にアクセスし、画像コード復号モジュール１４３によって復号された構成情報に基づいて、無線通信基地局装置１１０と無線通信を行う。
【００２９】
図２は、本実施の形態を実現する場合の装置間の関係を示す説明図である。
既に無線ＬＡＮ  ＡＰ２１０と無線通信を行ったことがある既接続通信装置２２０としてＰＣ２２１、ＰＤＡ２２２がある。ＰＤＡ２２２は、ＰＤＡ（Ｐｅｒｓｏｎａｌ  Ｄｉｇｉｔａｌ  Ａｓｓｉｓｔａｎｔ）の他に、携帯電話、スマートフォン（Ｓｍａｒｔ  Ｐｈｏｎｅ、携帯電話とＰＤＡを融合させたもの）等であってもよい。そして、これから無線ＬＡＮ  ＡＰ２１０と無線通信を行おうとしている未接続通信装置２４０として携帯電話２４１がある。
図１の例に示した構成との対応を説明する。無線ＬＡＮ  ＡＰ２１０は無線通信基地局装置１１０の具体例に該当し、ＰＣ２２１又はＰＤＡ２２２は通信装置Ａ１２０の具体例に該当し、携帯電話２４１は通信装置Ｂ１４０の具体例に該当する。
【００３０】
例えば、無線ＬＡＮのサービスを提供している場所（喫茶店、駅、空港、ホテル等）に無線ＬＡＮ  ＡＰ２１０は設置されている。そして、既にＰＣ２２１、ＰＤＡ２２２は無線ＬＡＮ  ＡＰ２１０と無線通信を行っており、新たに携帯電話２４１を有した人が加わった状況である。
例えば、ＰＣ２２１は、自らが無線ＬＡＮ  ＡＰ２１０と無線通信するための構成情報を用いて、ＱＲコード等のＱＲコード３００（図３参照）を生成して、プリンタで印刷する。
【００３１】
図４は、本実施の形態による接続処理例を示す説明図である。つまり、図２の例を用いて説明した状況から、携帯電話２４１が無線ＬＡＮ  ＡＰ２１０と無線通信を行う場合について説明する。
ＱＲコード３００を含む掲示用紙４０１は、ＰＣ２２１が印刷したものであり、無線ＬＡＮのサービスを提供している場所で公開されているものである。なお、予め定められた基準を満たした者（例えば、料金を支払った者等）にのみ公開するようにしてもよい。
【００３２】
携帯電話２４１は操作者の操作に応じて、カメラでＱＲコード３００を撮影する。携帯電話２４１は、その撮影したＱＲコード３００の画像データを復号して構成情報を抽出して、その構成情報を用いて無線ＬＡＮ  ＡＰ２１０と無線通信を行う。この構成情報は、既にＰＣ２２１が無線通信を行った際に用いたものであるという実績があるので、携帯電話２４１における無線通信の接続においても信頼性の高いものである。また、操作者はカメラでの撮影という操作で、無線通信の設定が容易にできることとなる。
【００３３】
図６は、本実施の形態による処理例を示すフローチャートである。ステップＳ６１１からステップＳ６１３までは通信装置Ａ１２０による処理であり、ステップＳ６２１からステップＳ６２４までの処理は通信装置Ｂ１４０による処理である。
ステップＳ６１１では、画像コード符号化モジュール１２５が、通信装置Ａ１２０が無線通信基地局装置１１０と無線通信を行った際の構成情報を構成情報記憶モジュール１２３から取得する。
ステップＳ６１２では、画像コード符号化モジュール１２５が、ステップＳ６１１で取得した構成情報を画像コード１３０に符号化する。
ステップＳ６１３では、出力制御モジュール１２７が、出力装置１２８を制御して画像コード１３０を出力する。
【００３４】
ステップＳ６２１では、読取制御モジュール１４２が、画像読取装置１４９を制御して画像コード１３０を画像データとして読み取る。
ステップＳ６２２では、画像コード復号モジュール１４３が、ステップＳ６２１で読み取った画像コード１３０を復号して構成情報を抽出する。
ステップＳ６２３では、画像コード復号モジュール１４３が、ステップＳ６２２で復号した構成情報を構成情報記憶モジュール１４８に格納する。
ステップＳ６２４では、通信モジュール１４１が、ステップＳ６２３で構成情報記憶モジュール１４８に格納された構成情報を取得して無線通信基地局装置１１０と無線通信を行う。
【００３５】
前記実施の形態においては、通信装置Ａ１２０は無線通信基地局装置１１０と現在のみならず、過去に無線通信によって接続されたことがある場合を示したが、現在無線通信している場合にのみ限定してもよい。つまり、画像コード符号化モジュール１２５は、通信モジュール１２１が無線通信を行っているか否かの判断を行い、行っている場合には、その無線通信を行っている無線通信基地局装置１１０との無線通信における構成情報を対象として画像コードを生成するようにしてもよい。
【００３６】
なお、本実施の形態が実装される通信装置Ａ１２０、通信装置Ｂ１４０は、図７に示すような携帯電話７００であってもよい。携帯電話７００は、例えば、電話としての機能を有するように音声入力できるマイク７０５と、音声出力できるスピーカー７０４と、電話番号又は電子メール等に文字を入力するための文字入力装置であるキー７０２と、電波を送受信してデータ通信を行うためのアンテナ７０３と、画像コード１３０の表示又はキー７０２による文字入力の結果等の表示を行うディスプレイ７０１と、画像コード１３０を読み込むためのカメラ等を有している。携帯電話７００内には、画像コード符号化モジュール１２５、出力制御モジュール１２７、読取制御モジュール１４２、画像コード復号モジュール１４３等のプログラムを実行するＣＰＵ、メモリ、通信用回路、カメラ等のハードウェアが内蔵されており、通信装置を実現するためのソフトウェアであるコンピュータ・プログラムをメモリに記憶させ、ソフトウェアとハードウェア資源とが協働して、通信装置が実現される。
【００３７】
なお、本実施の形態としてのプログラムが実行されるコンピュータ（無線通信基地局装置１１０、通信装置Ａ１２０、通信装置Ｂ１４０）のハードウェア構成は、図８に示すように、一般的なコンピュータであり、具体的には本実施の形態による処理以外にも多くの処理を実行することができるＰＣ等のコンピュータ又は組み込み型のコンピュータである。画像コード符号化モジュール１２５、出力制御モジュール１２７、読取制御モジュール１４２、画像コード復号モジュール１４３等のプログラムを実行するＣＰＵ８１０と、そのプログラムやデータを記憶するＲＡＭ８３０と、本コンピュータを起動するためのプログラム等が格納されているＲＯＭ８２０と、補助記憶装置であるＨＤ８４０と、操作者の操作によってキーボード、マウス、カメラ等からデータを入力又はＣＲＴ、液晶ディスプレイ、プリンタ等にデータを出力して操作者とのインタフェースとなるＵＩ／Ｆ８５０と、ＣＤ−Ｒ等のリムーバブルメディアに対して読み書きするリムーバブルメディアリーダーライター８６０と、通信回線（無線通信を含む）と接続するための通信回線Ｉ／Ｆ８７０、そして、それらをつないでデータのやりとりをするためのバス８８０により構成されている。これらのコンピュータが複数台互いにネットワークによって接続されていてもよい。
【００３８】
なお、説明したプログラムについては、記録媒体に格納することも可能であり、その場合は、「プログラムを記録したコンピュータ読み取り可能な記録媒体」の発明としても把握することができる。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ  Ｄｉｓｃ（登録商標））、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ）、フラッシュ・メモリ、ランダム・アクセス・メモリ（ＲＡＭ）等が含まれる。
そして、前記のプログラム又はその一部は、前記記録媒体に記録して保存や流通等させることが可能である。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組合せ等の伝送媒体を用いて伝送することが可能であり、また、搬送波に乗せて搬送することも可能である。
さらに、前記のプログラムは、他のプログラムの一部分であってもよく、あるいは別個のプログラムと共に記録媒体に記録されていてもよい。
【図面の簡単な説明】
【００３９】
【図１】本発明の一実施の形態のモジュール構成例を示す図である。
【図２】本実施の形態を実現する場合の装置間の関係を示す説明図である。
【図３】ＱＲコードの例を示す説明図である。
【図４】本実施の形態による接続処理例を示す説明図である。
【図５】構成情報テーブルのデータ構造例を示す説明図である。
【図６】本実施の形態による処理例を示すフローチャートである。
【図７】通信装置Ａ、通信装置Ｂの一例である携帯電話を示す説明図である。
【図８】本実施の形態を実現するコンピュータのハードウェア構成例を示すブロック図である。
【符号の説明】
【００４０】
１１０…無線通信基地局装置
１２０…通信装置Ａ
１２１…通信モジュール
１２３…構成情報記憶モジュール
１２５…画像コード符号化モジュール
１２７…出力制御モジュール
１２８…出力装置
１３０…画像コード
１４０…通信装置Ｂ
１４１…通信モジュール
１４２…読取制御モジュール
１４３…画像コード復号モジュール
１４８…構成情報記憶モジュール
１４９…画像読取装置
２１０…無線ＬＡＮ  ＡＰ
２２０…既接続通信装置
２２１…ＰＣ
２２２…ＰＤＡ
２４０…未接続通信装置
２４１…携帯電話
【図１】
2010098498.tif 000003
【図２】
2010098498.tif 000004
【図３】
2010098498.tif 000005
【図４】
2010098498.tif 000006
【図５】
2010098498.tif 000007
【図６】
2010098498.tif 000008
【図７】
2010098498.tif 000009
【図８】
2010098498.tif 000010